(57)【要約】【課題】家庭用衛生薄葉紙製品において、その収納箱を製造時や製品時に意図せずミシン目線が裂開し難く、しかも衛生薄葉紙の使用後に解体しやすいものとする。【解決手段】  収納箱の底面に押し込み部形成ミシン目線を設け、その押し込み部形成ミシン目線の両端部から底側稜線に沿って底側稜線ミシン目線を設け、さらに側部稜線に沿って側部稜線ミシン目線を設けた家庭用薄葉紙製品により解決される。【選択図】図３
2015117052.tif 000002
【特許請求の範囲】
【請求項１】
上面と底面とこれらに連接する一対の長側面及び短側面とを有する直六面体形状の収納箱に、家庭用薄葉紙が収納された家庭用薄葉紙製品であって、
前記収納箱は、短側面が、長側面の端縁から延出する内フラップが内側に折られ、その内フラップの外側に重ねて、底面の端縁から延在する底側外フラップと上面の端縁から延出する上側外フラップとが順次内側に折られ、それらの各フラップが接着により一体にされた構造であるとともに、その底面と底側外フラップとの間の底側稜線の中央部から底面の長手方向中央に向かって膨出する押し込み部形成ミシン目線と、前記底側稜線に沿って延在する底側稜線ミシン目線と、前記内フラップと長側面との間の側部稜線に沿って延在する側部稜線ミシン目線とを有する、ことを特徴とする家庭用薄葉紙製品。
【請求項２】
底側稜線ミシン目線及び側部稜線ミシン目線の少なくとも一方が、延在方向同一の単位ミシン目線が並列する二重ミシン目線であるとともに、その二重ミシン目線を構成する各単位ミシン目線が稜線を挟んで並列するように配されている、請求項１記載の家庭用薄葉紙製品。
【請求項３】
底側稜線の両端側に底側稜線ミシン目線の非形成部を有し、底側外フラップに、前記底側稜線ミシン目線の端から側部稜線の上面側方向に向かって底側稜線ミシン目線と非平行に延在する底側外フラップ隅部ミシン目線を有し、
側部稜線の底側に側部稜線ミシン目線の非形成部を有し、内フラップに、前記側部稜線ミシン目線の端から底側稜線の中央部側方向に向かって側部稜線ミシン目線と非平行に延在する内フラップ隅部ミシン目線を有する、
請求項１又は２記載の家庭用薄葉紙製品。
【請求項４】
底側外フラップに、底側稜線の両端から底側外フラップ隅部ミシン目線に向かって、底側外フラップ隅部ミシン目線にまで至らない底側外フラップ隅部切り込み線が形成され、
内フラップに、側部稜線の底側端から内フラップ隅部ミシン目線に向かって、内フラップ隅部ミシン目線にまで至らない内フラップ隅部切り込み線が形成されている、
請求項３記載の家庭用薄葉紙製品。
【請求項５】
上面と底面とこれらに連接する一対の長側面及び短側面とを有する直六面体形状の収納箱に、家庭用薄葉紙が収納された家庭用薄葉紙製品であって、
前記収納箱は、短側面が、長側面の端縁から延出する内フラップが内側に折られ、その内フラップの外側に重ねて、底面の端縁から延在する底側外フラップと上面の端縁から延出する上側外フラップとが順次内側に折られ、それらの各フラップが接着により一体にされた構造であるとともに、その底面に底面の長手方向中央に向かって膨出する押し込み部形成ミシン目線と、この押し込み部形成ミシン目線の両端部から底面と長側面との間の底側長手稜線に至る底面ミシン目線とを有し、かつ、底面ミシン目線の端部から前記底側長手稜線に沿って近位の短側面に向かって延在する底側長手稜線ミシン目線と、前記内フラップと長側面との間の側部稜線に沿って形成される側部稜線ミシン目線と、を有することを特徴とする家庭用薄葉紙製品。
【請求項６】
底側長手稜線ミシン目線及び前記側部稜線ミシン目線の少なくとも一方が、延在方向同一の単位ミシン目線が並列する二重ミシン目線であるとともに、その二重ミシン目線を構成する各単位ミシン目線が稜線を挟んで並列するように配されている、請求項５記載の家庭用薄葉紙製品。
【請求項７】
底面ミシン目線が在方向同一の単位ミシン目線が並列する二重ミシン目線である、請求項５又は６記載の家庭用薄葉紙製品。
【請求項８】
前記収納箱が、上面の収納箱内側にスリット付きの樹脂製のシート材が貼付されたものであり、前記底面ミシン目線が、そのシート材の短側面側の縁位置よりも、収納箱の長手方向中央側に位置している、請求項５〜７の何れか１項に記載の家庭用薄葉紙製品。
【発明の詳細な説明】
【技術分野】
【０００１】
本発明は、複数枚の家庭用薄葉紙を収納箱に収めた家庭用薄葉紙製品。
【背景技術】
【０００２】
ティシュペーパーやキッチンペーパーやペーパータオルといった家庭用薄葉紙を複数枚、ロール状或いは折畳み重ねて束にし、カートン箱とも称される上面に取出口を有する直六面体形状の収納箱に収めた衛生薄葉紙製品はよく知られるところである。
【０００３】
この家庭用薄葉紙製品においては、内部の家庭用薄葉紙を使いきった後に残る収納箱を廃棄する際に、その形状が箱形で嵩張るため、押し潰したり折り畳んだりして解体することが行なわれる。
【０００４】
そして、この家庭用薄葉紙製品では、従来、下記特許文献１、２に示すように、係る収納箱の解体作業を容易にすべく、複数のフラップが重ね合わされ封止されてなる短側面を解放できるように箱解体用のミシン目線を形成することが行なわれている。このようなミシン目線を形成するなどして収納箱を解体しやすくする箱解体機構は、イージークラッシュ機構、イージーホールド機構等とも称されている。
【０００５】
しかし、従来の家庭用薄葉紙製品は、その収納箱の箱解体機構が、短側面を解放するために複数回に渡ってフラップを開く作業が必要になるなど手間のかかるものであった。また、ミシン目線に沿ってスムーズに裂開せずに意図しない部位が裂けてしまい、ミシン目線を裂開しなおす手間がかかるということもあった。
【０００６】
ところで、家庭用薄葉紙製品の収納箱に係るこれらのミシン目線は、カートンブランクの段階で既に形成されるため、衛生薄葉紙収納製品の製造は、ミシン目線が形成された状態で収納箱の組立て、家庭用薄葉紙の束等の挿入が行なわれるようにされる。また、収納箱は、製品の搬送中に潰れることのないように、比較的堅固である必要があり、意図しない限り容易にミシン目線が裂開しないことが求められる。
【０００７】
したがって、家庭用薄葉紙製品においては、このような製造時や輸送時等に意図せずミシン目線が裂開せず、その一方で、家庭用薄葉紙を使い終わった際には、容易に箱解体ができることが求められる。
【先行技術文献】
【特許文献】
【０００８】
【特許文献１】特開平０８−２５３２７５号公報
【特許文献２】特開２００８−２７３５３２号公報
【発明の概要】
【発明が解決しようとする課題】
【０００９】
そこで、本願発明は、上記の課題に鑑みて、製造時、製品時においては意図せずミシン目線が裂開し難く、使用後に残る収納箱は、簡易かつ容易に解体することができる衛生薄葉紙製品を提供することにある。
【課題を解決するための手段】
【００１０】
上記課題を解決した本発明は以下のとおりである。
【００１１】
〔請求項１記載の発明〕
上面と底面とこれらに連接する一対の長側面及び短側面とを有する直六面体形状の収納箱に、家庭用薄葉紙が収納された家庭用薄葉紙製品であって、
前記収納箱は、短側面が、長側面の端縁から延出する内フラップが内側に折られ、その内フラップの外側に重ねて、底面の端縁から延在する底側外フラップと上面の端縁から延出する上側外フラップとが順次内側に折られ、それらの各フラップが接着により一体にされた構造であるとともに、その底面と底側外フラップとの間の底側稜線の中央部から底面の長手方向中央に向かって膨出する押し込み部形成ミシン目線と、前記底側稜線に沿って延在する底側稜線ミシン目線と、前記内フラップと長側面との間の側部稜線に沿って延在する側部稜線ミシン目線とを有する、ことを特徴とする家庭用薄葉紙製品。
【００１２】
〔請求項２記載の発明〕
底側稜線ミシン目線及び側部稜線ミシン目線の少なくとも一方が、延在方向同一の単位ミシン目線が並列する二重ミシン目線であるとともに、その二重ミシン目線を構成する各単位ミシン目線が稜線を挟んで並列するように配されている、請求項１記載の家庭用薄葉紙製品。
【００１３】
〔請求項３記載の発明〕
底側稜線の両端側に底側稜線ミシン目線の非形成部を有し、底側外フラップに、前記底側稜線ミシン目線の端から側部稜線の上面側方向に向かって底側稜線ミシン目線と非平行に延在する底側外フラップ隅部ミシン目線を有し、
側部稜線の底側に側部稜線ミシン目線の非形成部を有し、内フラップに、前記側部稜線ミシン目線の端から底側稜線の中央部側方向に向かって側部稜線ミシン目線と非平行に延在する内フラップ隅部ミシン目線を有する、
請求項１又は２記載の家庭用薄葉紙製品。
【００１４】
〔請求項４記載の発明〕
底側外フラップに、底側稜線の両端から底側外フラップ隅部ミシン目線に向かって、底側外フラップ隅部ミシン目線にまで至らない底側外フラップ隅部切り込み線が形成され、
内フラップに、側部稜線の底側端から内フラップ隅部ミシン目線に向かって、内フラップ隅部ミシン目線にまで至らない内フラップ隅部切り込み線が形成されている、
請求項３記載の家庭用薄葉紙製品。
【００１５】
〔請求項５記載の発明〕
上面と底面とこれらに連接する一対の長側面及び短側面とを有する直六面体形状の収納箱に、家庭用薄葉紙が収納された家庭用薄葉紙製品であって、
前記収納箱は、短側面が、長側面の端縁から延出する内フラップが内側に折られ、その内フラップの外側に重ねて、底面の端縁から延在する底側外フラップと上面の端縁から延出する上側外フラップとが順次内側に折られ、それらの各フラップが接着により一体にされた構造であるとともに、その底面に底面の長手方向中央に向かって膨出する押し込み部形成ミシン目線と、この押し込み部形成ミシン目線の両端部から底面と長側面との間の底側長手稜線に至る底面ミシン目線とを有し、かつ、底面ミシン目線の端部から前記底側長手稜線に沿って近位の短側面に向かって延在する底側長手稜線ミシン目線と、前記内フラップと長側面との間の側部稜線に沿って形成される側部稜線ミシン目線と、を有することを特徴とする家庭用薄葉紙製品。
【００１６】
〔請求項６記載の発明〕
底側長手稜線ミシン目線及び前記側部稜線ミシン目線の少なくとも一方が、延在方向同一の単位ミシン目線が並列する二重ミシン目線であるとともに、その二重ミシン目線を構成する各単位ミシン目線が稜線を挟んで並列するように配されている、請求項５記載の家庭用薄葉紙製品。
【００１７】
〔請求項７記載の発明〕
底面ミシン目線が在方向同一の単位ミシン目線が並列する二重ミシン目線である、請求項５又は６記載の家庭用薄葉紙製品。
【００１８】
〔請求項８記載の発明〕
前記収納箱が、上面の収納箱内側にスリット付きの樹脂製のシート材が貼付されたものであり、前記底面ミシン目線が、そのシート材の短側面側の縁位置よりも、収納箱の長手方向中央側に位置している、請求項５〜７の何れか１項に記載の家庭用薄葉紙製品。
【発明の効果】
【００１９】
以上のとおり、本発明によれば、製造時、製品時においては意図せずミシン目線が裂開し難く、使用後に残る収納箱は、簡易かつ容易に解体することができる衛生薄葉紙製品が提供される。
【図面の簡単な説明】
【００２０】
【図１】本発明に係る衛生薄葉紙製品の斜視図である。
【図２】本発明に係る衛生薄葉紙製品の構造及び使用態様を説明するための斜視図である。
【図３】本発明の第１実施形態に係る衛生薄葉紙収納箱のカートンブランクの平面図である。
【図４】本発明の第１実施形態に係る衛生薄葉紙収納箱の底面側からの斜視図である。
【図５】本発明に係る衛生薄葉紙収納箱の各フラップの接着態様を説明するための側面図である。
【図６】本発明の第１実施形態に係る衛生薄葉紙収納箱の解体工程を説明するための斜視図である。
【図７】本発明の第２実施形態に係る衛生薄葉紙収納箱のカートンブランクの平面図及びその一部拡大図である。
【図８】本発明の第２実施形態に係る衛生薄葉紙収納箱のカートンブランクの製造工程を説明するための図である。
【図９】本発明の第２実施形態に係る衛生薄葉紙収納箱の底面側からの斜視図である。
【図１０】本発明の第２実施形態に係る衛生薄葉紙収納箱の解体工程を説明するための斜視図及びその一部拡大図である。
【図１１】本発明の第３実施形態に係る衛生薄葉紙収納箱のカートンブランクの平面図である。
【図１２】本発明の第３実施形態に係る衛生薄葉紙収納箱の底面側からの斜視図である。
【図１３】本発明の第３実施形態に係る衛生薄葉紙収納箱の解体工程を説明するための斜視図及びその一部拡大図である。
【発明を実施するための形態】
【００２１】
次いで、本発明の実施の形態を図１〜図１３を参照しながら以下に詳述する。なお、図
【００２２】
３、７、８、１１は、本発明に係る製品の収納箱の前駆体であるカートンブランクの図であるが、説明の理解をしやすくするため符号、文言等については組立て後に相当する部分のものを用いる。
【００２３】
「第１実施形態」
本発明の第１実施形態を図１〜図６に示す。なお、この第１実施形態を説明するなかで、第２実施形態及び第３実施形態にも共通する部分の構造等についても説明をする。
【００２４】
本発明に係る家庭用薄葉紙製品１００は、ティシュペーパー、キッチンペーパー、ペーパータオル等の家庭用薄葉紙１が、複数枚、ロール状或いは折畳み重ねた束が、取出し口形成用ミシン目線が形成された収納箱１０に収納され、使用時にその取出し口２から家庭用薄葉紙１を取り出して使用するものである。図示の形態では、複数枚のティシュペーパーが複数枚、折り畳まれ束にされたものを収めた製品の例を示している。
【００２５】
本発明に係る収納箱１０は、カートン箱とも称されるもので、上面２０と底面３０とこれらに連接する一対の長側面４０及び短側面５０とを有する直六面体形状の箱体であり、製品外観をなすものである。本実施形態に係る収納箱１０は、上面２０に取出し口２を形成するための環状の取出し口形成用ミシン目線１２が形成され、特にそのミシン目線１２により囲まれる範囲１２ａを紙箱内側からスリット付きシート材１３で被覆されたものとなっている。但し、本発明では、シート材１３は、必須ではなく、また、取出し口２の形成位置は、長側面４０にあってもよい。
【００２６】
収納箱１０の大きさは、収納する家庭用薄葉紙１の種類や規格によって変更することができる。家庭用薄葉紙１をティシュペーパーとするティシュペーパー製品であれば、概ね長手長さＬ１が１１０〜３２０ｍｍ、短手長さＬ２が７０〜２００ｍｍ、高さＬ３が４０〜１５０ｍｍ程度であり、本発明に係る収納箱１０もこの大きさとすることができる。
【００２７】
また、収納箱１０の基材は、バージンパルプ、古紙パルプ等の各種のパルプを主原料とするこの種の収納箱に用いられている既知の紙素材が採用できる。具体例として、坪量２５０〜５００ｇ／ｍ2のコートボール紙が例示できる。
【００２８】
本発明に係る収納箱１０の組立て構造は、図からも理解されるように、底面３０と一方の長側面４０の糊代部４０Ａとを糊付けして筒状とした後、長側面４０の端縁から延出する内フラップ４１，４１が内側に折られ、その内フラップ４１，４１の外側に重ねて、底面３０の端縁から延在する底側外フラップ３１と上面２０の端縁から延出する上側外フラップ２１とが順次内側に折られ、それらの各フラップ２１，３１，４１，４１が接着により一体にされて、短側面５０を構成する構造となっている。
【００２９】
各フラップ２１，３１，４１，４１の接着は、ホットメルト接着剤等の公知の接着剤を用いることができる。その接着形態としては、内フラップ４１，４１と底側外フラップ３１と上側外フラップ２１の各フラップ２１，３１，４１，４１が直接的に接着剤により接着されて一体化されている形態の他、内フラップ４１，４１と底面側外フラップ３１と上側外フラップ２１とが間接的に接着されて一体化されている形態であってもよい。図５は、内フラップ４１，４１と底側外フラップ３１とがその重なり部分において接着剤により接着され、底側外フラップ３１と上側外フラップ２１とがその重なり部分において接着剤により接着されることで、上側外フラップ２１と底側外フラップ３１とが内フラップ４１，４１を介して一体化されている形態を示している。本発明に係る短側面５０の構造は、このように各フラップ２１，３１，４１，４１が一体化されていればよい。
【００３０】
他方、取出し口形成用のミシン目線１２は、限定されはしないが、図示の形態のように環状に形成し、その環状部分を切り剥がすことにより取出し口２が形成されるものであるのがよい。この形態の収納箱１０は、ティシュペーパー製品において汎用されるが、この形態の収納箱では、解体作業が特に求められるため本発明の効果が特に顕著に発揮される。
【００３１】
この取出し口形成用のミシン目線１２は、適宜のカットタイ比で構成され、通常のシングルミシン目線のほか、二重ミシン目線、ジッパーミシン目線等で構成することができる。一部分のみ二重ミシン目線としてもよい。
【００３２】
他方、本実施形態に係るスリット付きシート材１３は、前記取出し口形成用ミシン目線１２により囲まれる範囲１２ａより大きく、例えば、矩形や楕円形であり、収納箱１０の内面側において、取出し口形成用ミシン目線１２の切り剥がしに影響がないように、取出し口形成用ミシン目線１２の外方で接着剤等によって接着される。スリット付きシート材１３は、樹脂製フィルムのほか紙製とすることができる。本実施形態に係る衛生薄葉紙製品１００では、係る収納箱１０における取出し口形成用ミシン目線１２を切り剥がすことにより、シート材１３に形成されたスリット１３ｓが露出し、そのスリット１３ｓを介して内部に収めた家庭用薄葉紙の束から家庭用薄葉紙１を順次一枚ずつ取り出すものとなっている。このようにスリット１３ｓから一枚ずつ家庭用薄葉紙１を引き出していく製品は、ポップアップ式の製品とも称されるもので、家庭用薄葉紙製品においてよく採用される形態である。本発明に係る家庭用薄葉紙製品１００は、このようなポップアップ式の製品に特に好適に適用される。但し、本発明は、必ずしもポップアップ式の製品に限定されるわけではない。
【００３３】
そして本実施形態に係る家庭用薄葉紙製品１００では、上述の各フラップ２１，３１，４１，４１が一体にされて形成された短側面５０の構造を採るとともに、特に、収納箱１０に、特徴的な、押し込み部形成ミシン目線１５と、底側稜線ミシン目線１６と、側部稜線ミシン目線１７とが形成されている。
【００３４】
押し込み部形成ミシン目線１５は、底面３０と底側外フラップ３１との間の底側稜線２５の中央部から底面３０の長手方向中央に向かって膨出する形状とされる。図示の形態では、底面の長手方向中央に向かって膨出するアーチ状に形成された例を示している。その他に例えば、コ字型、くさび形等に配してもよい。押し込み部形成部ミシン目線１５で囲まれる範囲の大きさは、指による押し込みによって押し込み部形成ミシン目線１５が裂開されて押し込み部が形成できる適宜の大きさとすればよい。この押し込み部形成ミシン目線１５は、通常のシングルミシン目線のほか、在方向同一の単位ミシン目線を並列させた二重ミシン目線で構成することができる。一部分のみ二重ミシン目線としてもよい。押し込み部形成ミシン目線のカットタイ比等は、シングルミシン目線の場合、１：１〜１０：１（カット：タイ）で、カット部の長さを１〜１０ｍｍとするのがよい。また、二重ミシン目線の場合、１：１〜５：１（カット：タイ）で、カット部の長さを３〜１０ｍｍとするのがよい。押し込み部形成ミシン目線１５は、その大きさが広範ではなく、また、指による直接的な押し込みによって比較的強い力を加えて裂開する性格であること、さらにその位置も通常の輸送等によって意図せず裂開がされがたい位置にあることから、強度を保持しつつ裂開を容易にすることができるという二重ミシン目線によるメリットよりも、製造容易というシングルミシン目線のメリットが上回る場合もある。しがって、その点考慮して、いずれの種のミシン目線とするかを選択すればよい。
【００３５】
他方、前記底側稜線ミシン目線１６は、底面３０と底側外フラップ３１との間の底側稜線２５に沿って延在するように配される。底側稜線ミシン目線１６は、底側稜線２５の全長に沿って設けられていてもよいし、押し込み部形成ミシン目線１５の両端より底側稜線２５の幅方向中央側に一部はみ出るように配されていてもよい。底側稜線ミシン目線１６は、押し込み部形成ミシン目線１５を指で押し込んで裂開させた後に短側面５０全体を開くようにした際に、押し込み部形成ミシン目線１５の裂開に続いて連続的に裂開されるように配されていればよい。したがって、押し込み部形成ミシン目線１５から連続的な裂開が確保される範囲であれば、押し込み部形成ミシン目線１５の両端からやや離間して配されていてもよい。但し、図示例のように押し込み部形成ミシン目線１５の両端を基端として延在するように配されているのが望ましい。この形態であれば、押し込み部形成ミシン目線１５から連続的に裂開が容易になされるとともに、意図しない部位が裂開するおそれがなく、ミシン目線形成による収納箱の強度低下も少ない。
【００３６】
底側稜線ミシン目線１６は、通常のシングルミシン目線のほか、在方向同一の単位ミシン目線を並列させた二重ミシン目線で構成することができる。但し、底側稜線ミシン目線１６が配される底側稜線２５は、収納箱のなかでも輸送時や組立て時に力が加わりやすいことから、強度を保持しつつ裂開を容易にすることができる二重ミシン目線であるのが望ましい。構成する単位ミシン目線のカットタイ比は、必ずしも同一である必要はないが、カット部に端が、実質的に一致又は重なるように配されて、並列する単位ミシン目線のタイ部が交互の裂開していくようになっているものが好適である。
【００３７】
底側稜線ミシン目線１６のカットタイ比等は、シングルミシン目線の場合、１：１〜１０：１（カット：タイ）で、カット部の長さを１〜１０ｍｍとするのがよい。また、二重ミシン目線の場合、１：１〜３：１（カット：タイ）で、カット部の長さを１〜５ｍｍとするのがよい。
【００３８】
底側稜線ミシン目線１６と底側稜線２５との離間距離は少なくとも１０ｍｍ以内とする。好ましくは７ｍｍ以内である。底側稜線ミシン目線１６と底側稜線２５とが過度に離れていると、底側稜線２５にそって裂開しがたくなり、短側面を解放し難くなる。また、底側稜線ミシン目線１６と底側稜線２５との離間距離の下限値については、過度に近すぎると輸送時や製造時に収納箱が意図せず破損するおそれが高まるため、１ｍｍ以上の離間しているのが望ましい。特に３ｍｍ以上離間していると製造が容易となる。
【００３９】
また、底側稜線ミシン目線１６は、底側稜線２５に沿って底側外フラップ側に設けられていてもよいし、底面側に設けられていてもよい。特に好ましくは、図示例の如く、底側稜線ミシン目線１６を二重ミシン目線として、各単位ミシン目線が底側稜線２５を挟んで底側外フラップ側と底面側との双方に形成されている形態である。この形態であれば、収納箱の強度を確保しつつ容易に裂開できるようになる。このように構成する場合であれば、各単位ミシン目線におけるカットタイ比は、双方ともに１：１〜３：１（カット：タイ）の範囲内とし、カット部の長さを１〜５ｍｍとするのが望ましい。
【００４０】
他方、側部稜線ミシン目線１７は、長側面４０，４０と内フラップ４１，４１との間の側部稜線２６に沿って延在するように配される。側部稜線ミシン目線１７は、側部稜線２６の全部に渡って設けられているのが望ましい。側部稜線ミシン目線１７は、押し込み部形成ミシン目線１５を指で押し込んで裂開させた後に短側面５０を開くようにした際に、押し込み部形成ミシン目線１５、底側稜線ミシン目線１６の裂開に続いて或いは同時に連続的に裂開されるように配されていればよい。特に、短側面５０が完全に解放されるように、少なくとも側部稜線２６の上側端に至るまで配されているのが望ましい。
【００４１】
ここで、底側稜線ミシン目線１６と側部稜線ミシン目線１７とは、上述のとおり底側稜線ミシン目線１６から側部稜線ミシン目線１７に至るように連続的に裂開されるようにすることから、これらの端部は、その連続的な裂開が確保される程度に近接している必要がある。連続的な裂開の確実性が向上することから、特に、図示例の如くそれらミシン目線の両端は連続しているのが望ましい。
【００４２】
また、側部稜線ミシン目線１７は、底側稜線ミシン目線１６と同様に、通常のシングルミシン目線のほか、在方向同一の単位ミシン目線を並列させた二重ミシン目線で構成することができる。側部稜線ミシン目線１７が配される側部稜線２６も、底側稜線２５と同様に収納箱のなかでも輸送時や組立て時に力が加わりやすいことから、強度を保持しつつ裂開を容易にすることができる二重ミシン目線であるのが望ましい。構成する単位ミシン目線のカットタイ比は、必ずしも同一である必要はないが、カット部に端が、実質的に一致又は重なるように配されて、並列する単位ミシン目線のタイ部が交互の裂開していくようになっているものが好適である。
【００４３】
側部稜線ミシン目線１７のカットタイ比等は、シングルミシン目線の場合、１：１〜１０：１（カット：タイ）で、カット部の長さを１〜１０ｍｍとするのがよい。また、二重ミシン目線の場合、１：１〜３：１（カット：タイ）で、カット部の長さを１〜５ｍｍとするのがよい。
【００４４】
側部稜線ミシン目線１７と側部稜線２６との離間距離は少なくとも１０ｍｍ以内とする。好ましくは７ｍｍ以内である。側部稜線ミシン目線１７と側部稜線２６とが過度に離れていると、側部稜線２６に沿って裂開しがたくなる。また、側部稜線ミシン目線１７と側部稜線２６との離間距離の下限値については、底側稜線ミシン目線と同様に過度に近すぎると輸送時や製造時に収納箱が意図せず破損するおそれが高まるため、１ｍｍ以上の離間しているのが望ましい。特に３ｍｍ以上離間していると製造が容易となる。
【００４５】
また、側部稜線ミシン目線１７は、側部稜線２６に沿って内フラップ側に設けられていてもよいし、長側面側に設けられていてもよい。特に好ましくは、図示例の如く、側部稜線ミシン目線１７を二重ミシン目線として、各単位ミシン目線が側部稜線２６を挟んで内フラップ側と長手側面側との双方に形成されている形態である。この形態であれば、収納箱の強度を確保しつつ容易に裂開できるようになる。このように構成する場合であれば、各単位ミシン目線におけるカットタイ比は、双方ともに１：１〜３：１（カット：タイ）の範囲内とし、カット部の長さを１〜５ｍｍとするのが望ましい。
【００４６】
次に、以上説明の第１実施形態に係る家庭用薄葉紙製品１００の箱解体作業例を説明すると、特に図６が参照されるように、押し込み部形成ミシン目線１５を例えば親指などで押し込んで裂開し、そのまま指を短側面内方に引っ掛けて、短側面５０を外方に開くようにして力を加える。この際に、本発明に係る家庭用薄葉紙製品１００では、収納箱１０の短側面５０を構成する上側外フラップ２１と底側外フラップ３１と両内フラップ４１，４１とが一体に接着されているため、底側稜線ミシン目線１６と側部稜線ミシン目線１７が連続的又は同時に裂開して、一気にワンタッチで短側面５０が解放状態になる。そして、両短側面５０，５０をこのようにして解放状態とした後には、収納箱は、底面３０或いは上面２０を長側面方向（図中符号Ｙで示す）に向かって力を加えることにより、容易に剪断変形して、平板状の一枚板形状に折り畳まれる。このように、本実施形態では、極めて簡易な操作で箱解体を行なうことができる。
【００４７】
「第２実施形態」
次いで、本発明の第２実施形態を図７〜図１０を参照して説明する。この第２実施形態は、上述の第１実施形態を基本として、底側稜線ミシン目線１６と側部稜線ミシン目線１７との近接位置の構造に特徴がある。ここでは、特に第１実施形態と同様の部分については説明を省略し、特に特徴的な構成を中心に説明する。
【００４８】
第２実施形態は、底側稜線ミシン目線１６を側部稜線２６にまで至らないように配して、底側稜線２５の両端側に底側稜線ミシン目線１６の非形成部１６ｎを形成し、さらに、側部稜線ミシン目線１７についても底側稜線２５にまで至らないように配して、側部稜線２６の底側に側部稜線ミシン目線１７の非形成部１７ｎを形成している。そして、底側外フラップ３１に前記底側稜線ミシン目線１６の端から側部稜線２６の上面２０側方向に向かって底側稜線ミシン目線１６と非平行に延在する底側外フラップ隅部ミシン目線１８と、内フラップ４１に前記側部稜線ミシン目線１７の端から底側稜線２５の中央部側方向に向かって側部稜線ミシン目線１７と非平行に延在する内フラップ隅部ミシン目線１９を形成している。
【００４９】
底側稜線ミシン目線１６及び側部稜線ミシン目線１７は第１実施形態同様にシングルミシン目線、二重ミシン目線とすることができる。また、これらのカットタイ比や長さの構成、稜線との離間距離、好適配置形態が各稜線を挟んで単位ミシン目線を配した二重ミシン目線であることは、第１実施形態と同様である。
【００５０】
この第２実施形態は、収納箱１０の状態では、底側稜線ミシン目線１６と側部稜線ミシン目線１７が連接していないように配されている。この形態では、例えば、底面３０と長側面４０，４０との底側長手稜線２７が押されるように力が加わったさいに、底側稜線ミシン目線１６と側部稜線ミシン目線１７との接触部分を起点としてミシン目線の裂開が意図せず生じてしまうということがなく、意図しないミシン目線の裂開防止性に優れる。
【００５１】
その一方で、底側外フラップ３１に底側外フラップ隅部ミシン目線１８を形成し、内フラップ４１に内フラップ隅部ミシン目線１９を形成したことで、これらの隅部ミシン目線１８，１９の存在によって、底側稜線ミシン目線１６から側部稜線ミシン目線１７との擬似的な連続性が確保され、第１実施形態と同様にワンタッチでの短側面５０の解放がなされる。
【００５２】
さらに、第２実施形態では、特に製造時における特徴的な利点をも有する。すなわち、この種の家庭用薄葉紙製品１００を製造する際には、図７に示すような、これを構成する収納箱１０の前駆体となるカートンブランク１０Ａを製造する。このカートンブランク１０Ａは、カートン原紙をダイスによって打ち抜いて形成していくのが一般的であり、その際、カートンブランク１０Ａの打抜きと同時にその周囲の余剰部分を完全に除去していく方法のほか、図８に示すように、カートンブランク１０Ａとなる部分とその周囲の余剰部分Ｘとを一部アンカット部分１０ｃで繋がったままとしたカートンブランク前駆体１０Ｘともいえるものを多数枚、製造したのち、そのカートンブランク前駆体１０Ａの複数枚をまとめて、手作業でその余剰部分Ｘをむしり取るようにして除去していくという方法も多々とられている（これをカートンむしりなどとも称している）。第１実施形態に係るカートンブランクを示す図３に示すように底側稜線ミシン目線１６と側部稜線ミシン目線１７とが連続するようにミシン目線を形成した場合には、底側外フラップ３１となる部分や一方の内フラップ４１となる部分に形成された各稜線ミシン目線１６，１７が一直線にカートンブランク１０Ａ周囲の余剰部分Ｘに向かうように配されることになる。この場合、カートンむしり作業を行なう際に、特にそれらのフラップ３１，４１の近傍の余剰部分Ｘをむしり取る際に、それらのフラップ３１，４１における各稜線ミシン目線１６，１７が意図せずに裂開してしまうおそれが高まるため作業に気をつかうことになる。本第２実施形態のように底面稜線ミシン目線１６と側部稜線ミシン目線１７とを連続しないようにして、これらの各稜線ミシン目線１６，１７と非平行な各隅部ミシン目線１８，１９を形成したことにより、ワンタッチでの短側面５０の解放を確保しつつも、係る製造時にカートンブランク１０Ａの周囲の余剰部分Ｘを手作業で除去する際に、各稜線ミシン目線１６、１７が完全に裂開してフラップ３１，４１となるべき部分が離脱してしまうという事故を格段に低減でき、その作業性を向上させることができる。
【００５３】
他方で、第２実施形態では、図１０から理解されるように、短側面５０を解放した際に底側外フラップ３１及び内フラップ４１の底面と長側面とに接する隅が一部残る。このように隅部６０が残るため第２実施形態では、第１実施形態よりも、両短側面５０，５０を解放させた状態とした後、底面３０或いは上面２０を長側面４０方向に向かって力を加えて剪断変形させる力がやや強く必要となるが、底側外フラップ３１は、長側面４０に対して自由であり、また、内フラップ４１は、底面３０に対して自由な構造であるため、十分に剪断変形させることができる。但し、短側面５０のワンタッチの解放と、この剪断変形を容易に行える効果とを十分に得るために、底側稜線ミシン目線１６の非形成部分１６ｎ及び側部稜線ミシン目線１７の非形成部分１７ｎの長さは、２〜１０ｍｍ程度とするのが望ましい。この範囲であれば、一般的な家庭用薄葉紙製品１００として必要な強度を有する収納箱１０において剪断変形させて平板状に容易にすることができる。
【００５４】
また、底側外フラップ隅部ミシン目線１８は、底側稜線２５に対して４５°±１０°に形成するのが望ましい（図７中この部分の角度を符号∠Ａで示す）。この範囲であれば、上述の余剰部分をむしりとる作業における事故が効果的に防止できるとともに、箱解体の作業性も十分なものとなる。同様の理由で内フラップ隅部ミシン目線１９は、側部稜線２６に対して４５°±１０°に形成するのが望ましい（図７中この部分の角度を符号∠Ｂで示す）。また、底側外フラップ隅部ミシン目線１８及び内フラップ隅部ミシン目線１９は、隅部６０の狭小部分に形成されることから、シングルミシン目線であるのが製造が容易で望ましい。
【００５５】
特に、底側外フラップ隅部ミシン目線１８と内フラップ隅部ミシン目線１９は、底側外フラップ３１と内フラップ４１とが重なっていることから、その位置が一致しているようにするのが望ましい。短側面５０を解放した際に残る隅部６０の大きさを小さくすることができ、箱解体性の低下を最小にすることができる。
【００５６】
他方、第２実施形態では、底側外フラップ３１に、底側稜線２５の端から底側外フラップ隅部ミシン目線１８に向かって、底側外フラップ隅部ミシン目線１８にまで至らない底側外フラップ隅部切り込み線６１を形成し、内フラップ４１に、側部稜線２６の底側の端から内フラップ隅部ミシン目線１９に向かって、内フラップ隅部ミシン目線１９にまで至らない内フラップ隅部切り込み線６２を形成するのが望ましい。このように切り込み線６１，６２を配することで、短側面５０を解放した際に底側外フラップ３１及び内フラップ４１の底面３０と長側面４０とに接する隅部６０が一部残っても、その後に収納箱を剪断方向に押し潰す際の力を弱くすることができ、箱解体作業をより容易に行えるようになる。なお、底側フラップ隅部切り込み線６１及び内フラップ隅部切り込み線６２は、ミシン目線であってもスリットであってもよい。好ましくはスリットである。底側フラップ隅部切り込み線６１は、底側稜線２５に対して４５°±１０°（図７中この部分の角度を符号∠Ｃで示す）、内フラップ隅部切り込み線６２は、側部稜線２６に対して４５°±１０°（図７中この部分の角度を符号∠Ｄで示す）とするのが望ましい。この範囲であれば収納箱解体性の向上効果が十分に得られる。
【００５７】
特に、底側外フラップ隅部切り込み線６１と内フラップ隅部切り込み線６２とは、底側外フラップ３１と内フラップ４１とが重なっていることから、その位置が一致しているようにするのが望ましい。短側面５０を解放した後に、収納箱を剪断方向に押し潰す際の力を弱くすることができ、箱解体作業をより容易に行えるようになる。但し、上記例示の底側稜線ミシン目線１６の非形成部分１６ｎの長さ及び底部稜線ミシン目線１７の非形成部分１７ｎの長さ程度であれば、短側面５０を解放した後に残る隅部６０は極小さいものとなるため、完全に一致していなくとも箱解体を十分に行なうことはできる。
【００５８】
「第３実施形態」
次いで、本発明の第３実施形態を図１１〜図１３を参照して説明する。この第３実施形態は、上述の第１実施形態を基本として、底面３０の底面稜線２５から離間した位置に長手方向中央に向かって膨出する押し込み部形成ミシン目線１５を形成し、さらに、底側稜線ミシン目線１６に代えて底面ミシン目線３５と底側長手稜線ミシン目線３６を配した形態である。ここでは、特に第１実施形態と同様の部分については説明を省略し、特に異なる構成を中心に説明する。
【００５９】
第３実施形態に係る押し込み部形成ミシン目線１５は位置以外の形状、ミシン目線のカットタイ比や長さ等の構成は、第１実施形態と同様である。第３実施形態における押し込み部形成ミシン目線１５は、その両端が底側稜線２５からやや離れた位置にある。その離間距離は、収納箱の大きさと強度との関係で適宜さだめることができるが、押し込み部形成ミシン目線２５の端が、概ね底側稜線２５から収納箱１０の長手長さＬ１の１／３以内の範囲に位置するようにするのがよい。過度に離れていると後述の底面ミシン目線３５及び底側長手稜線ミシン目線３６との関係で各ミシン目線により形成される解放部分の大きさが大きくなりすぎて、ワンタッチでの短側面５０の解放に支障が生ずる可能性が高まる。
【００６０】
他方、底面ミシン目線３５は、押し込み部形成ミシン目線１５の両端部から底面３０と長側面４０との間の底側長手稜線２７に至るように配される。押し込み部形成ミシン目線１５と底面ミシン目線３５は、完全に連接されているのが望ましいが、押し込み部形成ミシン目線１５から底面ミシン目線３５への連続的な裂開が確保される範囲であれば離間していてもよい。また、図示の形態では、底面ミシン目線３５は、押し込み部形成ミシン目線１５の両端を基端として各底側長手稜線２７に向かって二本で形成されているが、底側長手稜線２７同士を結ぶように一本で形成してもよい。但し、図示例のように押し込み部形成ミシン目線１５の両端を基端として延在するように配されていると、押し込み部形成ミシン目線１５から連続的に裂開が容易になされるとともに、意図しない部位が裂開することがなく、ミシン目線形成による強度低下も最低限となるため望ましい。さらに、底面ミシン目線３５は、図示例では、底側稜線２５に平行に配しているが、押し込み部形成ミシン目線１５の各端から近位の短側面５０に近づくように、底面稜線２５と非平行に設けてもよい。
【００６１】
この底面ミシン目線３５は、シングルミシン目線であってもよいし二重ミシン目線であってもよい。底面ミシン目線３５における位置及び稜線との関係以外の構成については、第１実施形態における底面稜線ミシン目線１５と同様である。
【００６２】
他方、底側長手稜線ミシン目線３６は、底面ミシン目線３５の端部から前記底側長手稜線２７に沿って近位の短側面５０に向かって延在するように配される。底側長手稜線ミシン目線３６と底面ミシン目線３５とは、図示例の如く完全に連接されているのが望ましいが、底面ミシン目線３５から底側長手稜線ミシン目線３６への連続的な裂開が確保される範囲であればやや離間していてもよい。
【００６３】
底側長手稜線ミシン目線３６は、シングルミシン目線であってもよいし二重ミシン目線であってもよい。底側長手稜線ミシン目線３６における位置以外の構成については、第１実施形態における底面稜線ミシン目線１６と同様である。
【００６４】
他方、第３実施形態においては、第１実施形態と同様に側部稜線ミシン目線１７が配される。側部稜線ミシン目線１７の構成については、第１実施形態と同様である。第３実施形態における底側長手稜線ミシン目線３６と側部稜線ミシン目線１７とは、図示例の如く完全に連接されているのが望ましいが、連続的な裂開が確保できる範囲であればそれらの端は離間していてもよい。
【００６５】
他方、第３実施形態に係る家庭用薄葉紙製品１００では、特に図１３が参照されるように、押し込み部形成ミシン目線１５を例えば親指などで押し込んで裂開し、そのまま指を引っ掛けて、底面３０を引っ張り上げるようにして力を加えるとまず、底面ミシン目線３５及び底側長手稜線ミシン目線３６が連続的に又は同時に裂開して底面３０の一部が開かれる。そして、第３実施形態においても、本発明に係る家庭用薄葉紙製品１００では、収納箱１０の短側面５０を構成する上側外フラップ２１と底側外フラップ３１と両内フラップ４１，４１とが一体に接着されているため、そのまま短側面５０を開くように力を加えると、側部稜線ミシン目線１７が裂開して、一気に短側面５０が解放状態になる。このように第３実施形態においても第１実施形態や第２実施形態と同様に、ワンタッチで短側面５０が解放される。そして、両短側面を解放させた状態とした後には、底面３０或いは上面２０を長側面方向に向かって力を加えることにより、容易に剪断変形して、平板状の一枚板形状に折り畳まれる。
【００６６】
ここで、第１実施形態でも説明したとおり、家庭用薄葉紙製品１００の中には、取出し口形成用ミシン目線１２の範囲を被覆するように樹脂製のスリット付きシート材１３を設けた態様のものがある。国や自治体によっては、この樹脂製のシート材１３と収納箱１０の本体部分に当たる紙箱とを分離して分別廃棄することが求められる場合がある。特に第３実施形態では、底面３０の一部も開放されるため、解放部分が広く確保でき、このような分別廃棄がし易いという効果がある。また、この効果をより顕著にすべく、第３実施形態では、底面ミシン目線３５の位置を、シート材１３の短側面側の縁位置と同一又はそれよりも、収納箱の長手方向中央側に位置するようにするのがよい。図１１では、長さＰ分だけ底面ミシン目線３５の位置を、シート材１３の短側面側の縁位置よりも、収納箱の長手方向中央側に位置するようにしている。このようにするとシート材１３の端部が摘みやすくなり、シート材１３の分離がより行ないやすくなる。
【符号の説明】
【００６７】
１００…家庭用薄葉紙製品、１…家庭用薄葉紙、２…取出し口、１０…収納箱、１０Ａ…カートンブランク、Ｘ…カートンブランク周囲の余剰部分、１０Ｘ…カートンブランク前駆体、１０ｃ…アンカット部分、１２…取出し口形成用ミシン目線、１２ａ…取出し口形成用ミシン目線で囲まれる範囲、１３…スリット付きシート材、１３ｓ…スリット、１５…押し込み部形成ミシン目線、１６…底側稜線ミシン目線、１６ｎ…底側稜線ミシン目線の非形成部分、１７…側部稜線ミシン目線、１７ｎ…側部稜線ミシン目線の非形成部分、１８…底側外フラップ隅部ミシン目線、１９…内フラップ隅部ミシン目線、２５…底側稜線、２６…側部稜線、２７…底側長手稜線、２０…上面、２１…上側外フラップ、３０…底面、３１…底側外フラップ、４０…長側面、４１…内フラップ、４０Ａ…糊代部、Ｌ１…収納箱の長手縁、Ｌ２…収納箱の短手縁、Ｌ３…収納箱の高さ、５０…短側面、６０…隅部、６１…底側外フラップ隅部切り込み線、６２…内フラップ隅部切り込み線、３５…底面ミシン目線、３６…底側長手稜線ミシン目線、７０…接着剤。
【図１】
2015117052.tif 000003
【図２】
2015117052.tif 000004
【図３】
2015117052.tif 000005
【図４】
2015117052.tif 000006
【図５】
2015117052.tif 000007
【図６】
2015117052.tif 000008
【図７】
2015117052.tif 000009
【図８】
2015117052.tif 000010
【図９】
2015117052.tif 000011
【図１０】
2015117052.tif 000012
【図１１】
2015117052.tif 000013
【図１２】
2015117052.tif 000014
【図１３】
2015117052.tif 000015